(57)【要約】【課題】調理容器Ｐを載置する五徳爪１１を一体に設けて成るバーナ本体４をコンロの天板１上に配置するガスコンロにおいて、バーナ本体４の天板１に対する当接部が煮こぼれ汁の付着で腐食して、バーナ本体４の支持の安定性が損なわれることを防止する。【解決手段】天板１に上方に膨出する凸部１２を形成し、バーナ本体４を凸部１２で支持する。【選択図】  図２
2004286390.tif 000002
【特許請求の範囲】
【請求項１】
熱源としてガスバーナを用いるコンロであって、ガスバーナのバーナ本体に調理容器を載置する五徳爪を一体に設け、バーナ本体をコンロの天板上に配置するものにおいて、
天板に、バーナ本体の下面に当接してバーナ本体を支持する、上方に膨出する凸部を形成することを特徴とするガスコンロ。
【発明の詳細な説明】
【０００１】
【発明の属する技術分野】
本発明は、熱源としてガスバーナを用いるガスコンロに関し、特に、バーナ本体に調理容器を載置する五徳爪を一体に設けて成るガスバーナを用いるものに関する。
【０００２】
【従来の技術】
従来、五徳爪をバーナ本体に一体に設けて成るガスバーナを用いるガスコンロは知られている。この場合、バーナ本体はコンロの天板上に配置されている。そして、バーナ本体をその外周部に垂設したスカート部で天板に支持させ（例えば、特許文献１参照。）、或いは、五徳爪の外端に垂設した脚部で天板に支持させている（例えば、特許文献２参照。）。
【０００３】
【特許文献１】
実開昭５７−１３２１０４号公報（第２図）
【特許文献２】
実開昭５９−１７２９０７号公報（第３，４図）
【０００４】
【発明が解決しようとする課題】
上記従来例のものでは、煮こぼれを生ずると、天板上に落下した煮こぼれ汁が天板に当接するバーナ本体の着座部（スカート部や五徳爪の脚部）に流れて付着する。ここで、バーナ本体は金属製であるが、耐蝕性に優れた高価な金属材料でバーナ本体を形成することはコスト的に困難である。そのため、バーナ本体の着座部に煮こぼれ汁が付着すると、着座部が次第に腐食し、バーナ本体を安定に支持できなくなる。
【０００５】
本発明は、以上の点に鑑み、煮こぼれ汁の影響でバーナ本体の支持の安定性が損なわれることを防止できるようにしたガスコンロを提供することをその課題としている。
【０００６】
【課題を解決するための手段】
上記課題を解決するために、本発明は、熱源としてガスバーナを用いるコンロであって、ガスバーナのバーナ本体に調理容器を載置する五徳爪を一体に設け、バーナ本体をコンロの天板上に配置するものにおいて、天板に、バーナ本体の下面に当接してバーナ本体を支持する、上方に膨出する凸部を形成している。
【０００７】
上記の構成によれば、天板上に落下した煮こぼれ汁が凸部の形成部分に流れても、凸部に当接するバーナ本体の着座部は天板から浮いているため、この着座部に煮こぼれ汁は付着しない。従って、バーナ本体の着座部の腐食が防止され、バーナ本体が長期に亘って安定に支持される。
【０００８】
【発明の実施の形態】
図１および図２を参照して、１はコンロの天板を示している。この天板１は、セラミックガラス等の耐熱ガラスで形成されている。天板１の下側には、熱源たるガスバーナ２の混合管３が配置され、天板１の上側には、ガスバーナ２のバーナ本体４が配置されている。
【０００９】
混合管３には、送風機５により一次空気が強制給気され、また、ガスノズル６を介して燃料ガスが供給される。混合管３の下流端部３ａは上方を向くように屈曲されている。そして、天板１に、混合管３の下流端部３ａが臨む開口１ａを形成し、この下流端部３ａに、バーナ本体４の下面中央部に形成した流入口部４ａを抜差し自在に嵌合させている。
【００１０】
開口１ａには、ガラスの割れ防止のための保護リング７が装着されている。そして、混合管３の下流端部３ａを保護リング７に嵌合させると共に、下流端部３ａの下部外周に形成した鍔部３ｂの上面に、保護リング７に当接するシールリング８を設け、煮こぼれ汁が開口１ａからコンロ内に落下することを確実に防止できるようにしている。
【００１１】
バーナ本体４は、上方に開口する円形の皿状に形成されている。そして、バーナ本体４内に分布板９を設けると共に、バーナ本体４の上面に通気性を有する燃焼板１０を装着している。これにより、混合管３を介してバーナ本体４に供給される燃料ガスと一次空気との混合気を燃焼板１０上で燃焼させる全一次空気燃焼式バーナが構成される。燃焼板１０としては、セラミック板に多数の小孔を形成したものや、セラミックファイバを積層したものや、金属多孔体等を用いることができる。また、図示しないが、天板１の下側から天板１とバーナ本体４とを貫通して燃焼板１０上に臨む点火プラグが設けられ、燃焼板１０上に噴出する混合気に点火プラグによって点火される。
【００１２】
バーナ本体４の周壁部４ｂには、周方向に間隔を空けて複数の五徳爪１１が一体に設けられている。五徳爪１１は、これに載置する調理容器Ｐと燃焼板１０との間に所定の間隔が空くように、燃焼板１０よりも高く形成されている。
【００１３】
ここで、本実施形態のガスバーナ２は全一次空気燃焼式バーナであって、二次空気が不要であるため、調理容器Ｐと燃焼板１０との間の間隔を狭めても燃焼性が悪化しない。そして、調理容器Ｐを、燃焼板１０上の炎と燃焼板１０からの輻射熱とにより効率よく加熱でき、熱効率が向上する。
【００１４】
尚、五徳爪１１をバーナ本体４に一体に設けずに、天板１に五徳を載置した場合、天板１の撓みで調理容器Ｐと燃焼板１０との間の間隔が変化することがある。そして、調理容器Ｐと燃焼板１０との間の間隔が適正値より狭くなると、燃焼板１０上の燃焼背圧が高くなる。そのため、一次空気量が減少して、燃焼不良を生ずる。また、調理容器Ｐと燃焼板１０との間の間隔が適正値より広くなると、一次空気量が過多になって、燃焼温度が低下し、熱効率が悪化する。一方、本実施形態のように五徳爪１１をバーナ本体４に一体に設けた場合には、調理容器Ｐと燃焼板１０との間の間隔が適正値に維持され、上記不具合は生じない。
【００１５】
バーナ本体４は、天板１で支持されており、五徳爪１１に載置する調理容器Ｐの重量が混合管３に作用して、混合管３に無理が掛かることを防止している。この場合、バーナ本体４の下面に凸状の着座部を形成し、バーナ本体４を天板１に着座部において支持させることも考えられる。ここで、バーナ本体４は、コスト上の要請から、鉄系材料や真鍮といった比較的安価な金属材料で形成され、耐蝕性が十分には確保されていない。そのため、バーナ本体４の下面に着座部を形成すると、天板１に落下した煮こぼれ汁が着座部に付着して、着座部の腐食を生じ、バーナ本体４が安定に支持されなくなる。
【００１６】
そこで、本実施形態では、天板１に、開口１ａと同心でバーナ本体４の外径より小径の配置円上に位置させて、上方に膨出する凸部１２を周方向に間隔を空けて複数形成し、バーナ本体４の下面をこれら凸部１２に当接させることにより、バーナ本体４を天板１に支持させている。これによれば、凸部１２に対するバーナ本体４の当接部が天板１から浮くため、この当接部には天板１に落下した煮こぼれ汁が付着しない。従って、当接部の腐食が防止され、バーナ本体４は長期に亘って安定に支持される。
【００１７】
また、バーナ本体４を混合管３から分離して取外すことにより、天板１の清掃や五徳爪１１の清掃を容易に行うことができる。
【００１８】
図３および図４は他の実施形態を示している。この実施形態では、コンロの天板１０１をステンレス製にすると共に、ガスバーナ１０２を自然給気式のブンゼンバーナで構成している。
【００１９】
天板１０１の下側に配置する混合管１０３の上流端にはガスノズル１０５が挿入され、ガスノズル１０５からの燃料ガスの噴射に伴って混合管１０３に一次空気が吸入される。そして、混合管１０３の上向きの下流端部１０３ａを臨ませる開口１０１ａを天板１０１に形成し、下流端部１０３ａに、天板１の上側に配置したバーナ本体１０４の下面に形成した流入口部１０４ａを抜差し自在に嵌合させている。
【００２０】
バーナ本体１０４は、円盤状であって、その外周部上面に装着するバーナキャップ１０６との間に外向きの主炎孔１０７を形成すると共に、バーナ本体１０４の中央部上面に装着するバーナキャップ１０８に外向きの副炎孔１０９を形成している。また、バーナ本体１０４の両バーナキャップ１０６，１０８間の部分に上下方向に貫通する複数の二次空気穴１１０を形成している。そして、天板１０１の下側から開口１０１ａを介して上昇する空気とバーナ本体１０４の外方から天板１０１との間の隙間を介して流入する空気とを二次空気穴１１０を介して副炎孔１０９に二次空気として供給すると共に、余剰の空気をバーナキャップ１０６の上側から主炎孔１０７に二次空気として供給している。また、バーナ本体１０４の周囲一側に、天板１０１を通して突出する点火電極１１１と熱電対１１２とを臨ませている。
【００２１】
バーナ本体１０４には、更に、主炎孔１０７より外方の最外周部に位置させて、調理容器を載置する複数の五徳爪１１３が一体に設けられると共に、両バーナキャップ１０６，１０８間の部分に位置させて、小鍋用の複数の五徳爪１１４が一体に設けられている。
【００２２】
また、天板１０１に、開口１０１ａと同心でバーナ本体１０４の外径より小径の配置円上に位置させて、上方に膨出する凸部１１５を周方向に間隔を空けて複数形成している。そして、バーナ本体１０４の下面をこれら凸部１１５に当接させることにより、バーナ本体１０４を天板１０１に支持させている。
【００２３】
この構成でも、天板１０１に対するバーナ本体１０４の当接部を凸部１１５により天板１０１から浮かせて、煮こぼれ汁による当接部の腐食を防止できる。
【図面の簡単な説明】
【図１】本発明コンロの第１実施形態の要部の平面図。
【図２】図１のＩＩ―ＩＩ線で切断した断面図。
【図３】本発明コンロの第２実施形態の要部の平面図。
【図４】図３のＩＶ―ＩＶ線で切断した断面図。
【符号の説明】
１，１０１…天板  ２，１０２…ガスバーナ  ４，１０４…バーナ本体  １１，１１３，１１４…五徳爪  １２，１１５…凸部
【図１】
2004286390.tif 000003
【図２】
2004286390.tif 000004
【図３】
2004286390.tif 000005
【図４】
2004286390.tif 000006